(57)【要約】      （修正有）【課題】一般家庭や介護施設等の居室で使用するチェストやサイドキャビネット等の移動可能な収納家具のデッドスペースをなくし、災害発生時等の非常時に必要となる食品や飲料等の備蓄品を収納する収納家具を提供する。【解決手段】移動可能な収納家具本体の収納空間Ｓの背面側寄りに仕切板１１を設けて、収納空間の背面側開口部を隠蔽する背面板５と仕切板１１との間に、正面側の通常時収納空間Ｓｏと背中合わせの非常時収納空間Ｓｅを構成し、背面板１１をけんどん方式等により着脱可能とした収納家具１。【選択図】図６
2014117339.tif 000002
【特許請求の範囲】
【請求項１】
移動可能な収納家具本体の収納空間の背面側寄りに仕切板を設けて、前記収納空間の背面側開口部を隠蔽する背面板と前記仕切板との間に、正面側の通常時収納空間と背中合わせの非常時収納空間を構成し、前記背面板を着脱可能に構成したことを特徴とする収納家具。
【請求項２】
収納家具本体の背面側開口部に、案内部材を兼用する装着溝を設けて、この溝により背面板をけんどん式に嵌合装着して、前記背面側開口部を隠蔽する構成としたことを特徴とする請求項１に記載の収納家具。
【請求項３】
非常時収納空間の一部を背面板で隠蔽する構成とすると共に、他の一部に、背面側に引き出し可能な引出しを設けたことを特徴とする請求項１又は２に記載の収納家具。
【請求項４】
収納家具本体の天板の正面と側面の縁部を外方に突出させて突出縁部を形成し、この突出縁部は、その基部において上下側を凹形状に形成して握り部として構成したことを特徴とする請求項１〜３のいずれか１項に記載の収納家具。
【請求項５】
収納家具本体の天板の正面と側面の縁部を外方に突出させて突出縁部を形成し、この突出縁部を、収納家具本体の他の構成要素とは識別可能に色分けしていることを特徴とする請求項１〜４のいずれか１項に記載の収納家具。
【請求項６】
収納家具本体の正面側下部に蹴込み部を形成したことを特徴とする請求項１〜４のいずれか１項に記載の収納家具。
【請求項７】
非常時収納空間への備蓄品の収納を表す表示を収納家具の適所に付していることを特徴とする請求項１〜６のいずれか１項に記載の収納家具。
【請求項８】
収納家具本体の底部の一部にアジャスターを設けると共に、他の一部に移動用キャスターを設けていることを特徴とする請求項１〜７のいずれか１項に記載の収納家具。
【発明の詳細な説明】
【技術分野】
【０００１】
本発明は、一般家庭や介護施設等の居室で使用するチェストやサイドキャビネット等の移動可能な収納家具、特に非常時に必要となる食品や飲料等の備蓄品を収納可能とした移動可能な収納家具に関する。
【背景技術】
【０００２】
一般家庭や介護施設等の居室で使用するチェストやサイドキャビネット等の収納家具は、底板と、両側板と、天板及び背面板によって収納空間が構成された収納家具本体の正面側に、収納空間を利用するための引出しや扉又は開口部等を設けた構成が一般的である。
【０００３】
このような収納家具では、正面側から奥まった場所への品物の出し入れに際して、手前側の品物を避けなければならず面倒であるため、デッドスペースとなって有効利用がされにくい。
【０００４】
一方、災害発生時等の非常時に必要となる食品や飲料等の備蓄品を収納する手段として、日常使用する頻度の低い什器類や食品等を収納するためのパントリーと云われる収納庫がある。例えば特許文献１にはパントリーの一例が示されているが、このようなパントリーを使用することにより、平常時において収納した食品や飲料等の備蓄品を迅速に確実に手に入れることができる。
【０００５】
ところが、パントリーの設置は大掛かりとなり、所要スペースも必要であるため、これを備えていない一般家庭や介護施設等も多く、このようなところでは、備蓄品を通常の納戸や収納家具等に収納して備蓄することも多い。
【０００６】
この場合、一般的な収納家具への備蓄品の収納は、使用頻度が高い物品の収納の邪魔となるため困難であり、また収納家具や納戸においてデッドスペースである奥まった場所に収納した場合には、時が経過すると収納場所の記憶も曖昧になるため、災害発生時等の非常時に、必要な備蓄品が収納されている場所を迅速に確認することができない。また奥まった場所に収納された備蓄品を取り出す際には、手前側に収納されている品物を避けなければならないので面倒である。
【０００７】
収納家具等への備蓄品の収納に関する従来技術として、例えば特許文献２には、家具の底部に収納庫を設けて非常食を入れるようにした収納装置が記載されている。
【０００８】
しかしながら、この収納庫は、家具の収納空間におけるデッドスペースの有効利用を計るものではないから、大きくすると備蓄品以外の品物の収納スペースが減ってしまうため、大きくすることはできず、家具全体のデッドスペースは依然として残ってしまう。
【０００９】
また特許文献３には、等身大の室内部の下部に非常食及び防災用品収納庫を設け、外壁体を家具調に構成した家具調ミニシェルターが記載されており、そして通常は家具として室内に設置して利用されると記載されている。
【００１０】
しかしながら、この家具調ミニシェルターは震災時において室内部内に人が避難するものであるから、この避難の邪魔にならないように、平常時には室内部に多くの物品を入れて置くことはできない。即ち、一般的な収納家具と同様に使用することはできない。
【００１１】
一方、特許文献４には、正面側の収納部に加えて、背面側にも収納部を構成した収納家具が記載されている。
【００１２】
しかしながら、この収納家具は、隣接する部屋、例えばリビングとダイニングの間仕切りを兼ねた収納家具であって、夫々の収納部には、その収納部が面している部屋で使用する品物を収納するというものであり、備蓄品の収納とは全く異なる。また、収納家具のデッドスペースを有効利用することは想定していない。
【先行技術文献】
【特許文献】
【００１３】
【特許文献１】特開２００７−９８０５２号公報
【特許文献２】特開２００４−４９９０４号公報
【特許文献３】特許第２７９４０５９号公報
【特許文献４】特許第４９８５００４号公報
【発明の概要】
【発明が解決しようとする課題】
【００１４】
本発明は特許文献１〜４に記載された従来技術の上述した欠点を解決しようとするものである。即ち、本発明は、一般家庭や介護施設等の居室で使用するチェストやキャビネット等の移動可能な収納家具において、従来は、デッドスペースの有効利用が計られていないという課題を解決すると共に、非常時に必要となる食品や飲料等の備蓄品の収納を、通常の品物の収納に影響を与えずに行えるようにすることを目的とするものである。
【課題を解決するための手段】
【００１５】
上述した課題を解決するために、本発明では、まず、移動可能な収納家具本体の収納空間の背面側寄りに仕切板を設けて、前記収納空間の背面側開口部を隠蔽する背面板と前記仕切板との間に、正面側の通常時収納空間と背中合わせの非常時収納空間を構成し、前記背面板を着脱可能に構成した収納家具を提案する。
【００１６】
また本発明では、前記構成において、収納家具本体の背面側開口部に、案内部材を兼用する装着溝を設けて、この案内部材を兼用する装着溝により背面板をけんどん式に嵌合装着して、前記背面側開口部を隠蔽する構成とした収納家具を提案する。
【００１７】
また本発明では、前記構成において、非常時収納空間の一部を背面板で隠蔽する構成とすると共に、他の一部に、背面側に引き出し可能な引出を設けた収納家具を提案する。
【００１８】
また本発明では、前記構成において、収納家具本体の天板の正面と側面の縁部を外方に突出させて突出縁部を形成し、この突出縁部は、その基部において上下側を凹形状に形成して握り部として構成した収納家具を提案する。また本発明では、前記構成において、収納家具本体の天板の正面と側面の縁部を外方に突出させて突出縁部を形成し、この突出縁部を、収納家具本体の他の構成要素とは識別可能に色分けしている収納家具を提案する。
【００１９】
また本発明では、前記構成において、収納家具本体の正面側下部に蹴込み部を形成した収納家具を提案する。
【００２０】
また本発明では、前記構成において、非常時収納空間への備蓄品の収納を表す表示を収納家具の適所に付している収納家具を提案する。
【００２１】
また本発明では、前記構成において、収納家具本体の底部の一部にアジャスターを設けると共に、他の一部に移動用キャスターを設けている収納家具を提案する。
【発明の効果】
【００２２】
本発明の収納家具は、収納家具本体の収納空間の背面側に、正面側の通常時収納空間と背中合わせの非常時収納空間を構成しているので、そこに食品や飲料等の備蓄品を収納して置き、災害発生時等の非常時においては背面板を外して非常時収納空間から備蓄品を取り出すことができる。本発明の収納家具は、背面側を壁に近づけて置いたり、ベッドの横側に置いたりと、適宜に配置することができるが、背面側を壁に近づけて置いた場合にも、非常時には移動により壁から離して背面側からの備蓄品の取り出しを行うことができる。
【００２３】
非常時収納空間は、収納空間の、正面側から奥まった背面側寄りに仕切板を設けて構成するので、正面側から使用する通常時収納空間が狭くなるが、背面側寄りの場所は、正面側からの使用ではもともとデッドスペースであるので、実質的な収納スペースの低減はなく、そして仕切板があるから通常使用する品物が備蓄品と干渉することもなく、使い勝手を阻害しない。
【００２４】
非常時収納空間を遮蔽する背面板は、収納家具本体の背面側開口部に、案内部材を兼用する装着溝を設けて、この溝により背面板をけんどん式に嵌合装着する構成とすることにより、簡単な操作で非常時収納空間の遮蔽を解除することができ、しかも遮蔽状態において地震等が発生した場合でも外れ難い。
【００２５】
本発明の収納家具における非常時収納空間は、その全てを前記背面板で遮蔽する構成とする他、一部は背面板で遮蔽すると共に、他の一部は背面側に引き出し可能な引出を設けた構成とすることができる。
【００２６】
また本発明の収納家具では、収納家具本体の天板の正面と側面の縁部を外方に突出させて突出縁部を形成し、この突出縁部を手すりとして利用可能な構成とすることができる。この場合、その基部において上下側を凹形状に形成して握り部として構成することができ、この構成では、突出縁部が非常につかみやすくなり、手すりとしての使い勝手を向上することができる。一方、突出縁部を、他の構成要素、即ち、天板の他の部分や側板、引出等の前面板とは識別可能に色分けしておけば、白内障等で目が不自由になった人も収納家具本体の手すりとしての突出縁部を容易に識別して利用することができる。
【００２７】
また本発明の収納家具では、収納家具本体の正面側下部に蹴込み部を形成することにより、車椅子を使用している人が収納家具の使用に際して正面側に近づいた際に、車椅子の足部が収納家具の正面の下部に閊えてしまったりすることを防止して、車椅子を使用しての使い勝手を向上することができる。
【００２８】
また本発明の収納家具では、非常時収納空間への備蓄品の収納を表す表示を収納家具の適所に付すことにより、非常時において即座に備蓄品の収納を確認することができる。
【００２９】
また本発明の収納家具では、収納家具本体の底部の一部にアジャスターを設けると共に、他の一部に移動用キャスターを設けた構成とすることができ、この構成では、収納家具の天板を手すりとして利用する際などに外力が加わった場合においても、アジャスターがストッパーの作用をして、収納家具を安定に保持することができ、また地震等による収納家具の移動を防止することができる。一方、収納家具は、アジャスターを設置している側を持ち上げて移動用キャスターにより移動を容易に行うことができる。
【図面の簡単な説明】
【００３０】
【図１】図１は本発明に係る収納家具の第１の実施の形態の正面図である。
【図２】図２は本発明に係る収納家具の第１の実施の形態の背面図である。
【図３】図３は本発明に係る収納家具の第１の実施の形態の平面図である。
【図４】図４は、図３の状態から背面板を外した状態を示す平面図である。
【図５】図５は本発明に係る収納家具の第１の実施の形態の左側面図である。
【図６】図６は図１のＡ−Ａ断面図である。
【図７】図７は、図６の状態から背面板を外した状態を示す図１のＡ−Ａ断面図である。
【図８】図８は図１のＢ−Ｂ断面図である。
【図９】図９は本発明に係る収納家具の第１の実施の形態の正面側から見た斜視図である。
【図１０】図１０は本発明に係る収納家具の第１の実施の形態の背面側から見た斜視図である。
【図１１】図１１は図１０の背面板を外した状態を示す斜視図である。
【図１２】図１２は背面板を着脱動作の中途の状態を示す斜視図である。
【図１３】図１３は本発明に係る収納家具の第２の実施の形態の正面側から見た斜視図である。
【図１４】図１４は本発明に係る収納家具の第２の実施の形態の背面側から見た斜視図で、背面板を着脱動作の中途の状態を示すものである。
【図１５】図１５は非常時収納空間への備蓄品の収納を表す表示の一例を示すものである。
【発明を実施するための形態】
【００３１】
次に、まず図１〜図１２に示した第１の実施の形態につき説明する。
図において、符号１は本発明を適用した収納家具を示すもので、この収納家具１は、一般の収納家具と同様に、底板２と、両側板３ａ，３ｂと、天板４及び背面板５によって収納空間Ｓが構成された収納家具本体の正面側に、収納空間Ｓを利用するための、引出し６や扉又は開口部７等を設けた構成を基本としており、底板２等に移動用キャスター８を設けて移動可能としている。これらの引出し６や扉又は開口部７等の構成や配置は適宜である。また、この実施の形態においては、移動用キャスター８は底板２の一部、この場合、収納家具本体の背面側にのみ一対設けており、正面側には一対のアジャスター９を設けている。この構成では、アジャスター９がストッパーの作用をして地震等による収納家具１の移動を防止すると共に、アジャスター９を設置している側、即ち、正面側を持ち上げて移動用キャスター８により移動を容易に行うことができる。尚、後述する第２の実施の形態に示すように、アジャスター９に代えて、ストッパー付きキャスターを用いることもできる。また、この実施の形態において、天板４の背面側には、載置した品物の落下防止用等の突条１０を設けている。
【００３２】
以上の構成において、本発明では、収納家具本体の収納空間Ｓの背面側寄りに仕切板１１を設けて、前記収納空間Ｓの背面側開口部を隠蔽する背面板５と仕切板１１との間に、正面側の通常時収納空間Ｓｏと背中合わせの非常時収納空間Ｓｅを構成し、前記背面板５を着脱可能に構成している。
【００３３】
この実施の形態では、収納家具本体の背面側開口部に、案内部材を兼用する装着溝１２を設けて、この案内部材を兼用する装着溝１２により背面板５を、いわゆるけんどん式に装着している。この案内部材を兼用する装着溝１２は両側板３ａ，３ｂに形成した上下方向の縦溝１２ａと、両側板３ａ，３ｂ間の横板１３に設けた横溝１２ｂとから構成され、更に天板４の背面側に、上記縦溝１２ａに対応して細長い挿入口１４を形成している。一方、この細長い挿入口１４から縦溝１２ａに係合する背面板５の上端には支持棒体１５を設けている。
【００３４】
またこの実施の形態では、けんどん式に装着する背面板５は、収納空間Ｓｅの背面側開口部の全てを隠蔽する構成ではなく、収納空間Ｓｅの下部に対応して引出し１６を構成しており、この引出し１６の表板１７を、収納空間Ｓｅを隠蔽する背面板５として利用している。そして、この引出し１６は横板１３に設けた支持片１８に、工具を使わずに手で繰り返しネジを締めたり、緩めたり・外したりすることのできる化粧ねじ１９によって引出不能とする構成としている。
【００３５】
また、この実施の形態では、天板４の正面と側面の縁部を外方に突出させて突出縁部２０を形成し、この突出縁部２０は、その基部２１において上下側を凹形状に形成して握り部として構成している。
【００３６】
また、この実施の形態では、正面側下部の前記開口部７に対応する側板３ａ，３ｂの部分を切り欠いて蹴込み部２２を形成している。
【００３７】
更に、この実施の形態では、側板３ａ，３ｂの背面側寄り上部に、図１５に示しているような非常時収納空間への備蓄品の収納を表す表示２３を付している。
【００３８】
次に図１３、図１４は本発明の第２の実施の形態の収納家具を示す斜視図であり、上述した第１の実施の形態に相当する構成要素には同一の符号を付している。この第２の実施の形態では、第１の実施の形態と同様に、収納家具本体１の背面側に、正面側の通常時収納空間と背中合わせに非常時収納空間Ｓｅを形成している。そしてこの第２の実施の形態では、収納家具本体の背面側の非常時収納空間Ｓｅの全てを、１枚の背面板５で遮蔽する構成としている。背面板５は、第１の実施の形態と同様に、天板４の背面側に形成した細長い挿入口１４から挿入して装着溝１２にけんどん式に装着する構成としている。また、この第２の実施の形態では、天板４の正面と側面の縁部を外方に突出させて突出縁部２０を形成しているが、凹形状の基部は形成していない。また、この第２の実施の形態では、底板２の背面側に移動用キャスター８を設けており、正面側にはストッパー付きキャスター８’を設けている。
【００３９】
以上の第１、第２の実施の形態に示すとおり、本発明の収納家具１は、収納家具本体の収納空間Ｓの背面側に、正面側の通常時収納空間Ｓｏと背中合わせの非常時収納空間Ｓｅを構成しているので、そこに食品や飲料等の備蓄品２４を収納して置き、災害発生時等の非常時においては背面板５を外して非常時収納空間Ｓｅから備蓄品２４を取り出すことができる。
【００４０】
本発明の収納家具１は、背面側を壁に近づけて置いたり、ベッドの横側に置いたりと、その用途及び構成により、適宜に配置することができるが、背面側を壁に近づけて置いた場合にも、非常時には移動して壁から離して、備蓄品２４の取り出しを行うことができる。
【００４１】
本発明の収納家具１は、第２の実施の形態に示すように底板２等にストッパー付きのキャスターを設けて、移動及び移動の防止を行うことができるが、上述した第１の実施の形態では、一部にアジャスター９を設けると共に、他の一部に移動用キャスター８を設けることにより、収納家具１の天板４を手すりとして利用する際などに外力が加わった場合において、アジャスター９がストッパーの作用をして収納家具１を安定に保持することができ、また地震等による収納家具１の移動を防止することができる。一方、収納家具１はアジャスター９を設置している側を持ち上げて移動用キャスター８により移動を容易に行うことができる。このように移動用キャスター８を一部にのみ設けた構成では製作コストを低減することができる。
【００４２】
本発明の収納家具１では、非常時収納空間Ｓｅは、収納空間Ｓの、正面側から奥まった背面側寄りに仕切板１１を設けて構成しているので、正面側から使用する通常時収納空間Ｓｏは狭くなるのであるが、背面側寄りの場所は、正面側からの使用ではもともとデッドスペースであるので、実質的な収納スペースの低減はなく、そして仕切板１１があるから通常使用する品物が備蓄品２４と干渉することもなく、使い勝手を阻害しない。
【００４３】
そして非常時収納空間Ｓｅを遮蔽する背面板５は、実施の形態に示すように、収納家具本体の背面側開口部に、案内部材を兼用する装着溝１２（１２ａ，１２ｂ）を設けて、この溝により背面板５をけんどん式に嵌合装着する構成とすることにより、簡単な操作で非常時収納空間Ｓｅの遮蔽を解除することができ、しかも遮蔽状態において地震等が発生した場合でも外れ難い。
【００４４】
しかしながら非常時収納空間Ｓｅを遮蔽する背面板５は、この他、比較的簡単な操作で着脱が可能であれば、例えば、上記引出し１７を固定するような化粧ねじを使用して固定するようにすることもできる。
【００４５】
本発明の収納家具１の上述した実施の形態では、天板４の正面と側面の縁部を外方に突出させて突出縁部２０を形成しており、この突出縁部２０を手すりとして利用することができる。特に、第１の実施の形態では、この突出縁部２０は、その基部２１において上下側を凹形状に形成して握り部として構成しているので、この突出縁部２０を非常につかみやすくなり、手すりとしての使い勝手を向上することができる。
【００４６】
一方、上記突出縁部２０を、他の構成要素、即ち、天板４の他の部分や側板３ａ，３ｂ、引出等の前面板とは識別可能に色分けしておけば、白内障等で目が不自由になった人も収納家具本体の手すりとしての突出縁部を容易に識別して利用することができる。この色分けの具体例としては、突出縁部２０を、天板４の他の部分や側板３ａ，３ｂ、引出等の前面板よりも濃色にする等である。
【００４７】
また本発明の収納家具１の上記第１の実施の形態では、収納家具本体の正面側下部に蹴込み部２２を形成しているので、車椅子を使用している人が収納家具１の使用に際して正面側に近づいた際に、車椅子の足部が収納家具１の正面の下部に閊えてしまったりすることを防止して、車椅子を使用しての使い勝手を向上することができる。
【００４８】
更に本発明の収納家具１の実施の形態では、非常時収納空間Ｓｅへの備蓄品２４の収納を表す表示２３を収納家具の適所、例えば実施の形態のように、側板３ａ，３ｂの背面側寄り上部に付すことにより、非常時において即座に備蓄品２４の収納を確認することができる。
【産業上の利用可能性】
【００４９】
本発明の以上の通りであり、一般家庭や介護施設等の居室で使用するチェストやサイドキャビネット等の移動可能な収納家具のデッドスペースに、災害発生時等の非常時に必要となる食品や飲料等の備蓄品を非常に合理的に収納することができ、産業上の利用可能性大である。
【符号の説明】
【００５０】
１              収納家具
２              底板
３ａ，３ｂ      側板
４              天板
５              背面板
６              引出し
７              開口部
８              移動用キャスター
８’            ストッパー付きキャスター
９              アジャスター
１０            突条
１１            仕切板
１２            装着溝
１２ａ        縦溝
１２ｂ        横溝
１３            横板
１４            細長い挿入口
１５            支持棒体
１６            引出し
１７            表板
１８            支持片
１９            化粧ねじ
２０            突出縁部
２１            基部
２２            蹴込み部
２３            表示
２４            備蓄品
【図１】
2014117339.tif 000003
【図２】
2014117339.tif 000004
【図３】
2014117339.tif 000005
【図４】
2014117339.tif 000006
【図５】
2014117339.tif 000007
【図６】
2014117339.tif 000008
【図７】
2014117339.tif 000009
【図８】
2014117339.tif 000010
【図９】
2014117339.tif 000011
【図１０】
2014117339.tif 000012
【図１１】
2014117339.tif 000013
【図１２】
2014117339.tif 000014
【図１３】
2014117339.tif 000015
【図１４】
2014117339.tif 000016
【図１５】
2014117339.tif 000017